(57)【要約】【課題】簡単且つ正確に特定のセメント供試体を取り出せる養生管理方法および養生管理装置を提供することを課題とする。【解決手段】識別情報が記録された記録媒体が取り付けられた特定のセメント供試体を、養生槽の特定の位置に設置する設置工程と、前記識別情報と、前記特定の位置を示す位置情報とを対応させて記録する記録工程と、前記特定のセメント供試体を前記養生槽内で、所定の期間養生を行う養生工程と、前記所定の期間が終了した前記特定のセメント供試体を、前記記録された前記識別情報に対応する前記位置情報に基づき前記特定の位置から取り出す取出工程とを実施するセメント供試体の養生管理方法等である。【選択図】  図１
2013188878.tif 000002
【特許請求の範囲】
【請求項１】
識別情報が記録された記録媒体が取り付けられた特定のセメント供試体を、養生槽の特定の位置に設置する設置工程と、
前記識別情報と、前記特定の位置を示す位置情報とを対応させて記録する記録工程と、
前記特定のセメント供試体を前記養生槽内で、所定の期間養生を行う養生工程と、
前記所定の期間が終了した前記特定のセメント供試体を、前記記録された前記識別情報に対応する前記位置情報に基づき前記特定の位置から取り出す取出工程とを実施するセメント供試体の養生管理方法。
【請求項２】
前記養生工程において、識別情報が記録された記録媒体が取り付けられた複数のセメント供試体の養生を前記養生槽内で行い、
前記取出工程において、
前記特定の位置に存在する一のセメント供試体の前記記録媒体に記録された情報を読み取る読取工程と、
前記読取工程で読み取られた情報と、記録された前記識別情報とを比較して、両者が同一の情報であるかどうかを判断する判断工程とを実施し、
前記判断工程において両者が同一であると判断された場合に、前記一のセメント供試体を前記特定のセメント供試体であるとして、前記養生槽から取り出す請求項１に記載のセメント供試体の養生管理方法。
【請求項３】
前記養生工程において水中で養生を行う請求項１または２に記載のセメント供試体の養生管理方法。
【請求項４】
養生槽と、
前記養生槽の特定の位置に、識別情報が記録された記録媒体が取り付けられているセメント供試体を設置する設置装置と、
前記特定の位置から前記セメント供試体を取り出す取出装置と、
前記特定の位置を示す位置情報と、前記識別情報とを対応させて記録する記録装置とが備えられ、
前記取出装置は、前記記録装置に記録された前記識別情報に対応した前記位置情報に基づいて前記養生槽から前記セメント供試体を取り出すように構成されているセメント供試体の養生管理装置。
【請求項５】
前記取出装置で取り出される前記セメント供試体に取り付けられた記録媒体に記録された情報を読み取る読取装置と、
前記記録装置に記録された前記識別情報と、前記読取装置で読み取られた情報とを比較して、両者が同一の情報であるかどうかを判断する判断装置とが備えられた請求項４に記載のセメント供試体の養生管理装置。
【請求項６】
前記記録媒体が、非接触通信媒体である請求項４または５に記載のセメント供試体の養生管理装置。
【発明の詳細な説明】
【技術分野】
【０００１】
本発明は、セメント供試体の養生管理方法および養生管理装置に関する。
【背景技術】
【０００２】
コンクリートやモルタルなどのセメント硬化体を製造する際に、製造後のセメント硬化体の品質を確認するために、セメント硬化体に用いるセメント組成物と同一の組成物を用いたセメント供試体を作製し、かかるセメント供試体を用いて試験を行うことがある。
具体的には、前記セメント組成物を、所定の出荷、あるいは所定の打設等のタイミングにおいて、その一部を抜き取り、該抜き取られたセメント組成物等からセメント供試体を作製し、該セメント供試体を所定の期間養生した後に、強度試験等の各種試験を行う。
【０００３】
前記試験を行う場合には、試験するセメント供試体と、該セメント供試体に用いたセメント組成物の配合、採取現場、打設時、養生期間等の情報とを対応させておく必要がある。
【０００４】
かかるセメント供試体と、前記情報との対応づけは、例えば、セメント供試体に直接マジック等で特定のセメント供試体であることを識別するためのＩＤ番号等の識別子を書き込み、該識別子と、前記特定のセメント供試体に用いたセメント組成物についての前記情報とを、互いに対応させて記録しておくことで行っている。
そして、例えば、試験を行う際には、養生期間が終了しているかどうかを確認するために、セメント供試体に書き込まれた識別子を見て、当該識別子に対応させたセメント供試体についての情報を照会して確認した上で、養生槽から試験を行うセメント供試体を取り出す等している。
【０００５】
しかし、前記のように供試体に直接識別子を書き込んだ場合、養生を行っている間に、前記セメント供試体の記載が薄くなったり、あるいは消えてしまうおそれがあり、養生後には特定のセメント供試体と前記情報との対応が不明になり、試験を正確に行うことができないおそれがある。
このような問題を解消するために、例えば、特許文献１及び２に記載されているようなセメント供試体の養生管理方法がある。
【０００６】
特許文献１には、供試体の内部に無線タグを埋め込み、かかる無線タグに記録された識別情報を、読取装置で読み取ることで、養生中の供試体の識別を行うことが記載されている。
特許文献２には、特定の供試体が設置される前の養生水槽を撮影した画像データと、設置された後の養生水槽を撮影した画像データとを比較することで、特定の供試体の設置位置を判断することが記載されている。
【０００７】
しかし、特許文献１に記載の方法では、供試体の識別はできても、養生槽中の設置場所の位置が不明であるため、養生終了後に養生槽から特定の供試体を取り出す際に設置位置を特定ができず不便である。
また、特許文献２に記載の方法では、供試体の位置を特定するために、セメント供試体を設置する前後に画像を撮影し、該撮影した画像同士を比較して判断しなければならず、作業工程が煩雑である。特に、養生槽に複数の供試体を設置する場合には、各供試体の設置毎にその前後の画像を撮影して変化前後の画像を比較しなければならず、作業が複雑になり、判断に誤りも生じやすい。
【先行技術文献】
【特許文献】
【０００８】
【特許文献１】特開２００４−１９７３１２号公報
【特許文献２】特開２０１０−２２９６５５号公報
【発明の概要】
【発明が解決しようとする課題】
【０００９】
そこで、本発明は、上記のような従来の問題を鑑みて、簡単且つ正確に特定のセメント供試体を取り出せる養生管理方法および養生管理装置を提供することを課題とする。
【課題を解決するための手段】
【００１０】
本発明に係るセメント供試体の養生管理方法は、
識別情報が記録された記録媒体が取り付けられた特定のセメント供試体を、養生槽の特定の位置に設置する設置工程と、
前記識別情報と、前記特定の位置を示す位置情報とを対応させて記録する記録工程と、
前記特定のセメント供試体を前記養生槽内で、所定の期間養生を行う養生工程と、
前記所定の期間が終了した前記特定のセメント供試体を、前記記録された前記識別情報に対応する前記位置情報に基づき前記特定の位置から取り出す取出工程とを実施する。
【００１１】
本発明のセメント供試体の養生管理方法によれば、特定のセメント供試体の識別情報と、その特定のセメント供試体を設置した養生槽の特定の位置の位置情報とを対応させて記録させておくことにより、前記特定のセメント供試体を取り出す際には、前記識別情報に対応している位置情報に基づき養生槽内の設置場所から前記特定のセメント供試体を簡単に取り出すことができる。
また、識別情報が記録された記録媒体をセメント供試体に取り付けるため、養生中に識別情報が薄くなったり消えたりするおそれがなく、正確に特定のセメント供試体を養生槽から取り出すことができる。
【００１２】
尚、本発明における「識別情報」とは、あるセメント供試体を他のセメント供試体と区別することができる、ＩＤ番号、記号などをいう。
また、本発明における「位置情報」とは、養生槽においてセメント供試体を設置した場所毎に振り分けられる特定の位置情報をいう。
【００１３】
本発明の一態様として、前記養生工程において、識別情報が記録された記録媒体が取り付けられた複数のセメント供試体の養生を前記養生槽内で行い、
前記取出工程において、
前記特定の位置に存在する一のセメント供試体の前記記録媒体に記録された情報を読み取る読取工程と、
前記読取工程で読み取られた情報と、記録された前記識別情報とを比較して、両者が同一の情報であるかどうかを判断する判断工程とを実施し、
前記判断工程において両者が同一であると判断された場合に、前記一のセメント供試体を前記特定のセメント供試体であるとして、前記養生槽から取り出してもよい。
【００１４】
かかる本発明の一態様によれば、複数のセメント供試体を養生する場合であっても、前記取出工程において、前記位置情報に基づいて特定される位置に存在する一のセメント供試体に取り付けられた情報媒体の情報を読み取り、該情報と、前記記録された前記識別情報とを比較することで、前記一のセメント供試体が、前記特定のセメント供試体であるかどうかを確認してから、取り出すことができる。よって、より正確に、特定のセメント供試体の養生管理を行うことができる。
【００１５】
本発明の他の一態様として、前記養生工程において水中で養生を行ってもよい。
【００１６】
かかる本発明の他の一態様によれば、前記養生工程において水中で養生を行う場合に、水が汚れたりするなどして設置位置の特定が目視では難しい場合でも、前記記録された位置情報によって、特定のセメント供試体の養生槽中の位置を正確に特定することができる。
【００１７】
本発明にかかるセメント供試体の養生管理装置は、
養生槽と、
前記養生槽の特定の位置に、識別情報が記録された記録媒体が取り付けられているセメント供試体を設置する設置装置と、
前記特定の位置から前記セメント供試体を取り出す取出装置と、
前記特定の位置を示す位置情報と、前記識別情報とを対応させて記録する記録装置とが備えられ、
前記取出装置は、前記記録装置に記録された前記識別情報に対応した前記位置情報に基づいて前記養生槽から前記セメント供試体を取り出すように構成されている。
【００１８】
セメント供試体の養生管理装置にかかる本発明の一態様として、
前記取出装置で取り出される前記セメント供試体に取り付けられた記録媒体に記録された情報を読み取る読取装置と、
前記記録装置に記録された前記識別情報と、前記読取装置で読み取られた情報とを比較して、両者が同一の情報であるかどうかを判断する判断装置とが備えられていてもよい。
【００１９】
セメント供試体の養生管理装置にかかる本発明の一態様として、前記記録媒体が、非接触通信媒体であってもよい。
【００２０】
前記記録媒体が、非接触通信媒体である場合には、前記特定のセメント供試体に非接触で前記識別情報を読み取ることができ、前記読取装置での読み取り作業が簡単に行える。また、非接触で前記記録媒体から識別情報を読みとることができるため、記録媒体をセメント供試体の内部に埋め込むことが可能となる。
【発明の効果】
【００２１】
以上のように、本発明によれば、簡単且つ正確に特定のセメント供試体を養生槽から取り出せる。
【図面の簡単な説明】
【００２２】
【図１】（ａ）本実施形態のセメント供試体の養生装置を示す概略図、（ｂ）本実施形態のセメント供試体の養生装置の設置取出装置を示す一部断面概略図。
【発明を実施するための形態】
【００２３】
以下に、本発明にかかるセメント供試体の養生管理装置について図１を示して説明する。
本実施形態のセメント供試体の養生管理装置１０には、
養生槽１と、前記養生槽１の特定の位置に、識別情報が記録された記録媒体が取り付けられているセメント供試体Ｓを設置する設置装置と、前記特定の位置から前記セメント供試体を取り出す取出装置と、前記特定の位置を示す位置情報と、前記識別情報とを対応させて記録する記録装置とが備えられ、前記取出装置は、前記記録装置に記録された前記識別情報に対応した前記位置情報に基づいて前記養生槽１から前記セメント供試体Ｓを取り出すように構成されている。
【００２４】
本実施形態のセメント供試体の養生管理装置１０には、さらに、前記取出装置で取り出される前記セメント供試体Ｓに取り付けられた記録媒体に記録された情報を読み取る読取装置１１と、前記記録装置に記録された前記識別情報と前記読取装置１１で読み取られた情報とを比較して、両者が同一の情報であるかどうかを判断する判断装置とが備えられている。
【００２５】
本実施形態の前記セメント供試体の養生管理装置１０について、図１を示して具体的に説明すると、前記養生槽１は、内部に水を充填してセメント供試体を設置して水中養生することが可能な水槽であって、上面視長方形の開口部を有する。
【００２６】
本実施形態のセメント供試体の養生管理装置１０においては、前記設置装置と前記取出装置とが一つの設置取出装置２として備えられており、前記設置取出装置２は、前記養生槽１の開口部の上方において水平方向に移動可能に設置されている。
【００２７】
また、本実施形態のセメント供試体の養生管理装置１０においては、前記記録装置として、データベース３が備えられており、該データベース３には、入力装置及び前記判断装置としてのコンピュータ４が接続されている。
【００２８】
前記設置取出装置２は、図１（ａ）（ｂ）に示すように、下面に把持装置２４が取り付けられた天板２３と、該天板２３の両端に取り付けられた一対の支柱２２と、該支柱２２の下端部に取り付けられたローラー２１とが備えられている。
前記把持装置２４は、昇降装置２６によって、上下移動可能に構成されている。
前記天板２３の下面の前記昇降装置２６の周囲には、筒状体２５が備えられ、前記筒状体２５の内面側には前記読取装置１１が取り付けられている。
前記読取装置１１は、前記筒状体２５の内面であって、前記昇降装置２６によって前記把持装置２４を上昇させた場合に、前記把持装置２４で把持されたセメント供試体に取り付けられた記録媒体を読み取り可能な位置に取り付けられている。
【００２９】
前記把持装置２４は、複数本（図１では３本）の把持爪２４ａが開閉自在に備えられており、前記把持爪２４ａを開いてセメント供試体Ｓの上部周囲に前記把持爪２４ａの先端を配置させた後、前記把持爪２４ａを閉じることでセメント供試体Ｓの上部を把持することができる。
【００３０】
前記ローラー２１は、前記養生槽１の開口部の対向する１対の周縁部上を転動可能に設置されており、前記ローラー２１が転動することで前記把持装置２４を養生槽１の開口部の上方において任意の箇所に移動することができる。
【００３１】
前記設置取出装置２には、位置センサー（図示せず）が備えられており、前記設置取出装置２で、前記セメント供試体を移動して、養生槽１内の特定の位置に設置した際に、前記養生槽１における特定の位置を示す位置情報を、前記位置センサーから前記コンピュータ４を介して前記データベース３に送信する。
【００３２】
前記データベース３には、前記コンピュータ４を介して、前記設置取出装置２に取り付けられた前記読取装置１１と、必要に応じて、さらに、第二読取装置１０１とが接続されている。
前記コンピュータ４は、前記データベース３に情報を送り、記録させることができ、前記読取装置１１および第二読取装置１０１で読み取られた情報も前記コンピュータ４を介してデータベース３に記録することができる。
また、前記コンピュータ４には前記設置取出装置２の制御装置（図示せず）も接続されており、前記設置取出装置２の移動の制御を前記コンピュータ４で行うことができる。
【００３３】
前記読取装置１１および第二読取装置１０１は、例えば、前記セメント供試体に取り付けられた記録媒体に記録された情報を、非接触で読み取り可能な装置であり、読み取った情報を前記コンピュータ４に送信するように構成されている。
また、前記読取装置１１および第二読取装置１０１として、前記記録媒体の情報を読み取るだけではなく、前記記録媒体に情報を書き込める書き込み機能を備えたいわゆるリーダ／ライタ装置を用いることもできる。
【００３４】
本実施形態の養生管理装置１０には、前記養生槽１までセメント供試体を供給する供給装置６１と、前記養生槽１からセメント供試体を取り出した後のセメント供試体を排出する排出装置６２とが備えられている。
【００３５】
次に、前記のようなセメント供試体の養生管理装置１０を用いて、セメント供試体の養生を行う養生管理方法について説明する。
本実施形態のセメント供試体の養生管理方法は、識別情報が記録された記録媒体が取り付けられた特定のセメント供試体を、養生槽の特定の位置に設置する設置工程と、前記識別情報と、前記特定の位置を示す位置情報とを対応させて記録する記録工程と、前記特定のセメント供試体を前記養生槽内で、所定の期間養生を行う養生工程と、前記所定の期間が終了した前記特定のセメント供試体を、前記記録された前記識別情報に対応する前記位置情報に基づき前記特定の位置から取り出す取出工程とを実施する方法である。
【００３６】
本実施形態において養生を行うセメント供試体Ｓとしては、例えば、ＪＩＳ  Ａ  １１３２「コンクリート強度試験用供試体の作り方」などに記載された方法に準じて作成した供試体を用いる。
前記セメント供試体Ｓには、該セメント供試体Ｓを識別するためのＩＤ番号等の識別情報を記録した記録媒体が取り付けられている。前記記録媒体としては、前記識別情報を、前記読取装置１１および第二読取装置１０１で非接触で読取可能な情報を電波として送信可能なＩＣタグ等の非接触通信媒体が好ましい。
前記記録媒体を前記セメント供試体Ｓに取り付ける方法としては、例えば、前記セメント供試体用のセメント組成物を型枠に流しこんだ際に内部に埋め込む、あるいは、型枠をはずした後に、セメント組成物が硬化するまでに表面に押し付けて貼りつける等の方法が挙げられる。
【００３７】
尚、本実施形態では、複数のセメント供試体を準備し、それぞれに個別のＩＤ番号などの識別情報が記録された記録媒体を取り付けて前記養生槽１で養生を行う。
かかる場合には、前記記録媒体は、自動式のＩＣタグ発行装置などを用いて発行することが複数の記録媒体を簡単に準備できるため好ましい。
【００３８】
《識別情報記録工程》
本実施形態においては、必要に応じて前記識別情報を前記データベース３に記録する識別情報記録工程を実施してもよい。
尚、識別情報記録工程は、前記特定のセメント供試体Ｓに前記記録媒体を取り付けて養生槽１に設置する設置工程の前あるいは後に実施してもよい。または、独立した工程として実施することは必ずしも必要ではなく、後述するように前記設置工程において前記識別情報を記録してもよい。
【００３９】
前記識別情報をデータベース３に記録する方法としては、前記コンピュータ４に接続された前記第二読取装置１０１を、前記特定のセメント供試体Ｓに近づけて識別情報を読み取る。前記読取装置１０１は、読み取った識別情報をコンピュータ４に送信し、該コンピュータ４から前記データベース３に識別情報が記録される。
【００４０】
前記データベース３には、前記識別情報に関連付けて、前記特定のセメント供試体Ｓに関する所定の情報も記録しておくことが好ましい。
前記特定のセメント供試体Ｓに関する所定の情報としては、例えば、
（１）コンクリート供試体の作製日、生コンクリートを製造した工場名、製造ロット番号等
（２）生コンクリートの品質（スランプ、空気量、塩化物イオン量、練りあがり温度等）
（３）生コンクリートの原材料（骨材の産地、種類、密度等）
（４）生コンクリートの組成（材料の種類、配合比）
（５）生コンクリートの納入先、納入時間、荷下ろし時間等
（６）圧縮強度（試験日、試験データ等）
（７）その他、仕様等で定められた項目
などが挙げられる。
【００４１】
前記所定の情報を前記識別情報に関連付けてデータベース３に記録しておくことで、例えば、前記特定のセメント供試体Ｓの養生が終了する日等を確認する場合に前記識別情報をコンピュータ４上で、簡単に確認することができる。
前記所定の情報は、予め前記記録媒体に記録させておき、前記識別情報と同時にデータベース３に記録させてもよい。
前記第二読取装置１０１として、情報を書き込む書き込み機能を有するものを用いた場合には、前記第二読取装置１０１を用いて前記所定の情報を予め前記記録媒体に記録させておくことができる。
【００４２】
《設置工程》
本実施形態においては、前記記録媒体が取り付けられた前記セメント供試体Ｓを養生槽１に設置する設置工程を実施する。
【００４３】
本実施形態にかかるセメント供試体の養生管理方法においては、水中養生を行うため、前記養生槽１には水を貯留しておく。
前記特定のセメント供試体Ｓは、前記供給装置６１によって前記養生槽１まで移送する。そして、前記設置取出装置２の下方まで移送して、前記把持装置２４の把持爪２４ａで前記セメント供試体Ｓの上部を把持する。そして前記ローラー２１が回転することで前記把持装置２４を養生槽１の特定の位置にまで移動して、前記昇降装置２３で把持装置２４を下降させて、前記特定のセメント供試体Ｓを特定の場所に設置する。
【００４４】
尚、前記設置工程において、前記特定のセメント供試体Ｓを設置してから、前記識別情報をデータベース３に記録してもよい。この場合、前記特定のセメント供試体Ｓの識別情報は、前記記録媒体から読み取った後、別の記録媒体等に記録しておくことが必要である。
あるいは、設置工程を実施する際に、前記識別情報を前記データベース３に記録してもよい。この場合には、前記設置取出装置２によって、前記特定のセメント供試体Ｓを前記養生槽１に設置する際に、例えば、前記読取装置１１で、セメント供試体Ｓの識別情報を読み取り、前記コンピュータ４を介してかかる読取情報を前記データベース３に記録することで、識別情報をデータベースに記録することができる。
【００４５】
《記録工程》
前記識別情報と位置情報とは、対応させてデータベース３に記録する。
前記位置情報は、前記養生槽１の特定の場所毎に振り分けられる特定の位置情報をいい、かかる位置情報としては、例えば、前記養生槽１内部を座標軸で表して特定の位置を数字や記号等で表すことなどが挙げられる。
すなわち、前記位置情報は、前記養生槽１におけるセメント供試体Ｓの設置位置を決定すれば、その位置毎に必ず特定の情報として振り分けられる情報である。
前記特定の位置を前記位置センサーで位置情報として検知すると、該位置情報を前記コンピュータ４を介して前記データベース３に送信し、記録する。
【００４６】
かかる前記位置情報を、前記データベース３において前記識別情報と対応させて前記データベース３に記録する。
すなわち、前記識別情報に対応して、前記特定のセメント供試体Ｓの養生槽１における設置位置がデータベース３に記録され、例えば、識別情報をコンピュータ４などで検索すれば、前記特定のセメント供試体Ｓを前記養生槽１に設置した際の位置が分かるようにする。
【００４７】
《養生工程》
次に、前記特定のセメント供試体を前記養生槽１内で、予め決められた所定の期間養生を行う養生工程を実施する。
所定期間は、セメント供試体の試験に必要な養生日数として予め決められている期間である。
通常、養生槽中には複数のセメント供試体を設置して、異なる試験を行うためのセメント供試体の養生を同時に並行して行う。本実施形態においても、前記養生槽１には、識別情報が記録された記録媒体が取り付けられた複数のセメント供試体を設置して、それぞれ所定の期間の養生を行う。
かかる所定期間を前記所定の情報として、予め前記データベース３に前記識別情報と対応させて記録しておいた場合には、前記識別情報をコンピュータ４から記録して、前記データベース３に記録された所定の情報を検索することで、前記特定のセメント供試体Ｓの養生期間等を確認することができる。
あるいは、予め、前記データベース３上の情報を基に、前記特定のセメント供試体の養生期間が終了した場合には、前記コンピュータ４や養生装置の近傍に設置した表示パネルなどの画面に終了通知を出力するように設定しておいてもよい。
【００４８】
《取出工程》
次に、前記所定の期間が終了した前記特定のセメント供試体Ｓを、前記データベース３に記録された前記識別情報に対応する前記位置情報に基づき前記特定の位置から取り出す取出工程を実施する。
【００４９】
本実施形態における取出工程においては、前記特定の位置に存在する一のセメント供試体の前記記録媒体に記録された情報を読み取る読取工程と、前記読取工程で読み取られた情報と、記録された前記識別情報とを比較して、両者が同一の情報であるかどうかを判断する判断工程とを実施し、前記判断工程において両者が同一であると判断された場合に、前記一のセメント供試体を前記特定のセメント供試体であるとして、前記養生槽から取り出す。
【００５０】
(読取工程)
本実施形態においては、複数のセメント供試体が養生槽１中に存在しているため、前記養生が終了した特定のセメント供試体を他のセメント供試体と間違えないように取り出すことが必要である。
前記特定のセメント供試体Ｓを取り出すには、まず、前記データベース３に記録された識別情報から前記養生槽１中の前記位置情報を得る。
さらに、かかるデータベース３に記録された位置情報に基づいて前記コンピュータ４が前記設置取出装置２を制御して、前記設置取出装置２を前記位置情報に該当する箇所まで移動する。そして、所定位置において前記昇降装置２６を下降させて、該当する位置に設置された一のセメント供試体を把持装置２４で把持して、前記昇降装置２６を上昇させる。
【００５１】
前記昇降装置２６を上昇させて把持装置２４で把持された前記一のセメント供試体が、前記読取装置１１の近傍まで移動すると、前記一のセメント供試体に情報媒体が取り付けられている場合には、かかる情報媒体に記録された情報を前記読取装置１１が読み取り、読み取られた情報をコンピュータ４に送信する。
【００５２】
(判断工程)
前記情報が送信された前記コンピュータ４は、前記データベース３から、養生期間が終了したと確認した特定のセメント供試体３の識別情報を取り出し、かかる識別情報と送信された情報とを比較して、両者が同一の情報であるとコンピュータ４が判断された場合に、前記一のセメント供試体を前記特定のセメント供試体Ｓとして、そのまま、前記設置取出装置２を作動させて、特定のセメント供試体Ｓを取り出す。
両情報が同一の情報ではないとコンピュータ４が判断した場合には、前記設置取出装置２による取り出し作業を中止するか、あるいは取り出した一のセメント供試体を元の設置位置に戻してもよい。
【００５３】
かかる判断工程を実施することで、万が一、特定のセメント供試体Ｓと異なるセメント供試体を前記養生槽１から取り出そうとしても、特定のセメント供試体Ｓであるかどうかを確認するができ、正確に特定のセメント供試体を取り出すことができる。
【００５４】
前記のように養生槽１から取り出した特定のセメント供試体Ｓは、目的とする試験を行うことになるが、例えば、かかる試験結果についても前記識別情報と共に、前記データベース３に記録しておくことで、特定のセメント供試体Ｓについての試験結果に基づく評価等も簡単に行える。
【００５５】
本実施形態においては、水中養生を行う場合について説明したが、本発明は、特に、水中養生する場合に限定されるものではない。しかし、水中養生を行う場合には、特にセメント供試体に識別表示を直接記載したり、あるいは、シールなどで貼り付けたりした場合に、表示が消えたり、剥がれ落ちたりしやすいため、本発明の養生管理方法を採用することが好ましい。
【００５６】
本実施形態にかかる養生管理方法および養生管理装置は以上のとおりであるが、今回開示された実施の形態はすべての点で例示であって制限的なものではないと考えられるべきである。本発明の範囲は前記説明ではなくて特許請求の範囲によって示され、特許請求の範囲と均等の意味および範囲内でのすべての変更が含まれることが意図される。
【符号の説明】
【００５７】
１：養生槽、２：設置取出装置、３：データベース、４：コンピュータ、Ｓ：特定のセメント供試体、１１：読取装置、１０１：第二読取装置。
【図１】
2013188878.tif 000003